(57)【要約】      （修正有）【課題】ヒータを内蔵した保持部材の上下の開口面を確実に閉鎖状態に維持できるようにする。【解決手段】貯蔵庫本体の前面開口部には左右一対の断熱扉１５が観音開き式の揺動開閉可能に設けられ、各断熱扉１５の裏面における揺動支点側の側縁から上下両側縁に亘ってパッキン３０が配設されているとともに、各断熱扉１５の相手側と対向した側面の庫内側の角部付近には、閉扉時において互いに密着可能な密着部４２を有するセンタシール４０が筒状の保持部材５５を介して全高に亘って配設され、かつ保持部材５５の内部には、センタシール４０を加熱するべく結露防止用のヒータ６３が装着されており、保持部材５５の上下の開口面に対してねじ８３で止められて被着される第１キャップ８０と、第１キャップ８０の表面を覆ってスライド装着される第２キャップ９０と、が具備されている。【選択図】図７
2015025632.tif 000002
【特許請求の範囲】
【請求項１】
断熱箱体からなる貯蔵庫本体に設けられた前面開口部には、左右一対の断熱扉が観音開き式の揺動開閉可能に設けられ、
前記各断熱扉の裏面における揺動支点側の側縁から上下両側縁に亘ってパッキンが配設されているとともに、前記各断熱扉の相手側と対向した側面の庫内側の角部付近には、閉扉時において互いに密着可能な密着部を有するセンタシールが筒状の保持部材を介して全高に亘って配設され、
かつ前記保持部材の内部には、前記センタシールを加熱するべく結露防止用のヒータが装着されており、
前記保持部材の上下の開口面に対してねじ止めにより被着される第１キャップと、前記第１キャップの表面を覆ってスライド装着される第２キャップと、が具備されていることを特徴とする冷却貯蔵庫の扉装置。
【請求項２】
前記センタシールは、前記保持部材に長さ方向に沿って設けられたガイドに脚部が嵌められてスライド形式での着脱が可能となっており、前記第１キャップには、前記脚部を挿通可能な逃がし溝が切り欠き形成されていることを特徴とする請求項１記載の冷却貯蔵庫の扉装置。
【請求項３】
前記保持部材が、前記断熱扉の側面にねじで止められて取り付けられるベースと、同ベースの表面側に間隔を開けて被着される蓋板とから構成されており、
前記蓋板の裏面には、前記ベースを取り付けるべく装着された前記ねじの頭部に近接して対向するストッパ部が設けられていることを特徴とする請求項１または請求項２記載の冷却貯蔵庫の扉装置。
【請求項４】
前記ストッパ部には、前記ねじの頭部を弾性的に押圧可能な押圧部が突出形成されていることを特徴とする請求項３記載の冷却貯蔵庫の扉装置。
【請求項５】
前記保持部材の前記ベースに開口された前記ねじの挿通孔が、同ベースを前記断熱扉の表裏方向に沿って位置調節してねじ止めするべく同表裏方向に長い長孔状に形成されており、この挿通孔の孔縁部には、前記ねじが締結された場合に同ねじの座面で潰すことが可能な突部が形成されていることを特徴とする請求項３または請求項４記載の冷却貯蔵庫の扉装置。
【発明の詳細な説明】
【技術分野】
【０００１】
本発明は、ワイドスルー形式の冷却貯蔵庫の扉装置に関する。
【背景技術】
【０００２】
この種の冷却貯蔵庫の扉装置の一例として下記特許文献１に記載のものが知られている。このものは、貯蔵庫本体の前面開口部に左右一対の断熱扉が観音開き式の揺動開閉可能に設けられ、各断熱扉の裏面における揺動支点側の側縁から上下両側縁に亘ってパッキンが配設されているとともに、各断熱扉の相手側と対向した側面の庫内側の角部付近に、閉扉時において互いに密着可能な密着部を有するセンタシールが保持部材を介して全高に亘って配設された構造である。また、保持部材は筒状に形成されて同保持部材内にセンタシールを加熱するヒータが装着され、センタシールの表面に結露することを防止している。そして、ヒータが露出して同ヒータに触れることから保護するために、保持部材の上下の開口面にキャップを被せ、ねじ止めにより固定している。
【先行技術文献】
【特許文献】
【０００３】
【特許文献１】国際公開第２０１３／０５８２５７号
【発明の概要】
【発明が解決しようとする課題】
【０００４】
ところで、当該冷却貯蔵庫の使用態様等によっては、断熱扉が衝撃を持って開閉されることもあり得、そのような場合はねじが早期に緩んでキャップが外れる等も懸念されるため、さらなる改良が切望されていた。
本発明は上記のような事情に基づいて完成されたものであって、その目的は、ヒータを内蔵した保持部材の上下の開口面を確実に閉鎖状態に維持できるようにするところにある。
【課題を解決するための手段】
【０００５】
本発明の冷却貯蔵庫の扉装置は、断熱箱体からなる貯蔵庫本体に設けられた前面開口部には、左右一対の断熱扉が観音開き式の揺動開閉可能に設けられ、前記各断熱扉の裏面における揺動支点側の側縁から上下両側縁に亘ってパッキンが配設されているとともに、前記各断熱扉の相手側と対向した側面の庫内側の角部付近には、閉扉時において互いに密着可能な密着部を有するセンタシールが筒状の保持部材を介して全高に亘って配設され、かつ前記保持部材の内部には、前記センタシールを加熱するべく結露防止用のヒータが装着されており、前記保持部材の上下の開口面に対してねじ止めにより被着される第１キャップと、前記第１キャップの表面を覆ってスライド装着される第２キャップと、が具備されているところに特徴を有する。
【０００６】
保持部材の上下の開口面には、まず第１キャップがねじ止めにより被着され、さらに第２キャップが第１キャップの表面を覆ってスライド装着される。仮に断熱扉に衝撃力が作用する等で第１キャップを止めているねじが緩んだとしても、第２キャップが覆っていることでねじの緩み量が規制され、第１キャップが外れてしまうことが回避される。結果ヒータが外部に対して露出することが防止される。
ねじが第２キャップで覆われていることにより、ねじの頭部等にごみが溜まることが防止されて衛生面上で好適となり、また、ねじが隠されることで外観にも優れたものとなる。
【０００７】
また、以下のような構成としてもよい。
（１）前記センタシールは、前記保持部材に長さ方向に沿って設けられたガイドに脚部が嵌められてスライド形式での着脱が可能となっており、前記第１キャップには、前記脚部を挿通可能な逃がし溝が切り欠き形成されている。
第１キャップを被着したままで、センタシールをスライドさせつつ着脱することができる。
【０００８】
（２）前記保持部材が、前記断熱扉の側面にねじで止められて取り付けられるベースと、同ベースの表面側に間隔を開けて被着される蓋板とから構成されており、前記蓋板の裏面には、前記ベースを取り付けるべく装着された前記ねじの頭部に近接して対向するストッパ部が設けられている。
外部からの衝撃や振動を受けて仮にベースを止めているねじが緩んだとして、頭部がストッパ部に当たることでねじの緩み量が規制されて、ねじが外れることが確実に防止され、ひいてはベースが外れることが防止される。
【０００９】
（３）前記ストッパ部には、前記ねじの頭部を弾性的に押圧可能な押圧部が突出形成されている。
押圧部が常にねじの頭部を弾性的に押圧しているから、ねじの緩み止めがより確実になされる。
【００１０】
（４）前記保持部材の前記ベースに開口された前記ねじの挿通孔が、同ベースを前記断熱扉の表裏方向に沿って位置調節してねじ止めするべく同表裏方向に長い長孔状に形成されており、この挿通孔の孔縁部には、前記ねじが締結された場合に同ねじの座面で潰すことが可能な突部が形成されている。
【００１１】
ねじの挿通孔が断熱扉の表裏方向に長い長孔状であると、ねじが緩み始めたのち、繰り返し断熱扉に衝撃等が作用した際には、ベースが同方向に移動することを許容されつつ、ねじの座面との摩擦係合により加速度的にねじの緩みが進むおそれがある。
本構成では、挿通孔の孔縁部に、ねじの締結時にねじの座面で潰される程度の突部が形成されているから、ねじが若干緩んだのち断熱扉に衝撃等が作用することに起因して、ベースが断熱扉の表裏方向に移動しようした場合に、ねじの頭部が、潰されず残った突部に当たることで、ベースが同方向に移動することが規制され、結果ねじがそれ以上緩むことが回避される。
【発明の効果】
【００１２】
本発明によれば、ヒータを内蔵した保持部材の上下の開口面を確実に閉鎖状態に維持することができる。
【図面の簡単な説明】
【００１３】
【図１】本発明の実施形態１に係る冷蔵庫の正面図
【図２】断熱扉の裏面側から視た一部切欠斜視図
【図３】センタシールの配設部分の分解斜視図
【図４】同平断面図
【図５】閉扉状態の部分平断面図
【図６】第１キャップの装着動作を示す斜視図
【図７】第２キャップの装着動作を示す斜視図
【図８】第２キャップの装着完了時の斜視図
【図９】閉扉状態の部分平面図
【図１０】第１キャップの斜視図
【図１１】第２キャップの表裏反転させた斜視図
【図１２】実施形態２に係る第２キャップの装着動作を示す斜視図
【図１３】実施形態３に係るセンタシールの配設部分の平断面図
【図１４】実施形態４に係る保持部材のベースが一の位置に調節されて取り付けられた状態を示す斜視図
【図１５】他の位置に調節されて取り付けられた状態を示す斜視図
【図１６】ねじの挿通孔の孔縁部の構造を示す斜視図
【図１７】ねじが締結された際の挿通孔の孔縁部の構造を示す斜視図
【発明を実施するための形態】
【００１４】
＜実施形態１＞
本発明の実施形態１を図１ないし図１１に基づいて説明する。この実施形態では、ワイドスルー形式の横型冷蔵庫を例示している。
横型冷蔵庫の全体構造を図１によって説明する。冷蔵庫本体１０は、前面が開口された横長の断熱箱体によって形成され、底面に配された脚１１で支持されている。冷蔵庫本体１０の内部は貯蔵室１２とされ、出入口となる前面開口部１３には、左右一対の断熱扉１５が観音開き式の開閉可能に装着されている。一対の断熱扉１５は、それぞれ外側の縦縁の上下両端が、ヒンジ１６を介して縦軸回りの回動可能に支持されており、正面の上縁部における互いに隣接した端部に寄った位置に、開閉操作用の把手１７が設けられている。前面開口部１３には、同前面開口部１３を左右に仕切る縦向きの仕切枠が設けられておらず、センタピラーレスすなわちワイドスルー形式の扉装置が構成されている。
【００１５】
冷蔵庫本体１０の正面視左側面には機械室１８が設けられ、同機械室１８内には、貯蔵室１２から張り出し形成された形態の蒸発器室（図示せず）が収容されて同蒸発器室に蒸発器と庫内ファンとが装備されているとともに、蒸発器と接続されて冷凍サイクルを構成する冷凍装置が収容されている。
冷凍サイクルが駆動されることで蒸発器付近で冷気が生成され、同冷気が庫内ファンにより貯蔵室１２内に循環供給されることで、貯蔵室１２内が冷却されるようになっている。
【００１６】
扉装置は上記のようにワイドスルー形式であることから、閉扉時のシール構造は基本的には、前面開口部１３の口縁については、各断熱扉１５の裏面における揺動端側の縦縁を除いた他の３縁辺に装着されたパッキン３０（図２参照）が密着されることでシールされ、両断熱扉１５の揺動端側の縦縁の間については、同縦縁に沿って装着されたセンタシール４０同士が密着することでシールされるようになっている。両断熱扉１５が揃って開けられると、前面開口部１３が仕切りが無い状態で全開可能となる。
【００１７】
さらに断熱扉１５の構造、特にパッキン３０とセンタシール４０との配設部分の構造について詳細に説明する。
断熱扉１５は左右対称形状に形成されており、図２及び図４等に示すように、ステンレス鋼板等の金属製の外装板２１と、中央に膨出部２２Ａを設けた合成樹脂製の内装板２２とを組み付けることで外殻体２０が形成され、この外殻体２０内に、発泡樹脂等の断熱材（図示せず）が充填された構造となっている。断熱扉１５の裏面における薄肉となった周縁部には、方形状をなすパッキン装着溝２５が形成されている。
【００１８】
パッキン３０はマグネットパッキンであって、合成樹脂材の押出成形によって形成され、所定長さに切断されて使用される。パッキン３０は、図４に示すように、内部が複数の部屋に仕切られた筒状のパッキン本体３１の背面側に取付脚３３が突設されるとともに、表面側（同図の上側）における幅方向の略中央部に位置する第１マグネット室３２に、扁平な角柱状の第１マグネット３５が挿入されて形成されている。
パッキン３０は、上記した装着溝２５の４縁辺に対応して４本が準備され、各パッキン３０の両端は４５度に切断されている。４本のパッキン３０は、それぞれの取付脚３３を装着溝２５に嵌着しつつ、４縁辺の全周に亘って方形枠状の形態をなして装着されている（図２参照）。各パッキン本体３１における内側の面には複数枚のひれ部３６が張り出し形成され、内装板２２の膨出部２２Ａの側面に弾性的に密着されている。
【００１９】
センタシール４０は、図２及び図４に示すように、各断熱扉１５の揺動端側で相手と対向した側面（以後、対向側面１５Ａ）における庫内側の角部付近において、後記する保持部材５５を介して上下方向に延びた形態で装着されている。同センタシール４０は合成樹脂製であって押出成形により形成されており、断熱扉１５の全高よりも少し短い長さに切断されて使用される。
なお保持部材５５は合成樹脂製であって、詳しくは後記するが、センタシール４０と同寸法の長さを有し、その上下の端縁が、対向側面１５Ａの上下の端縁から同じ小寸法ずつ退避した形態で、対向側面１５Ａに取り付けられるようになっている。
【００２０】
センタシール４０は、庫外側（図４の下側）に開口した概ね門型断面をなすシール本体４１を有している。シール本体４１は軟質樹脂製であって、相手のシール本体４１と対向する側の辺部には、長方形断面をなす第２マグネット室４２が形成され、扁平な角柱状の第２マグネット４３が挿入されている。
シール本体４１における反対側の辺部４４は、隣接して配された縦向きのパッキン３０の側面に密着されている。同辺部４４は庫外側の端部が第２マグネット室４２側に屈曲され、その屈曲端に、第２マグネット室４２と隣接するようにして第１脚部４５が形成されている。第１脚部４５は硬質樹脂製であって、その内部には、断面鈎型をなす挿通溝４５Ａが庫外側に開口した形態で形成されている。
上記した第２マグネット室４２の外面（相手との対向面）における庫外側の端部からは、所定幅を持った脚片４７が庫外側に向けて張り出した形態で形成されている。同脚片４７の庫外側の端部は内側に屈曲され、その屈曲端に、硬質樹脂からなる長方形断面の第２脚部４８が形成されている。
【００２１】
シール本体４１の庫内側（図４の上側）の面における揺動端側の縦向きのパッキン３０に近接した端部位置からは、冷気遮断用のリップ部５０が突出形成されている。各リップ部５０は、庫内側に向けて突出したのち、先端部５０Ａが相手側に向けて鋭角（例えば７５°）に屈曲された形状となっている。リップ部５０は先端側が薄肉に形成され、閉扉時には、図５に示すように、先端部５０Ａ同士が重畳可能となっている。
また、シール本体４１の庫内側の面における同端部位置からは、別のひれ部５２が張り出し形成されている。同ひれ部５２の張り出し端部側は、揺動端側の縦向きのパッキン３０（上下両縁に配された横向きのパッキン３０の端部を含む）における第１マグネット室３２の庫内側の面に重なって密着されるようになっている。
【００２２】
センタシール４０が装着される保持部材５５は、上記のようにセンタシール４０と同じ長さ寸法を有しており、対向側面１５Ａに固定されるベース６０と、同ベース６０の表面側に間隔を開けて被着されるスライド蓋７０とから構成されている。  
ベース６０は、上下方向に亘る複数箇所（例えば２箇所）において、ねじ６１で止められて対向側面１５Ａに固定されるようになっている。詳細には、図４に示すように、ねじ６１の締結位置において、ベース６０にはねじ６１の挿通孔６２が開口されているとともに、対向側面１５Ａにはバーリング成形を伴いねじ孔１５Ｂが形成されている。
【００２３】
ベース６０における庫内側の側縁部には、ヒータ保持部６４が全高に亘って形成されており、同ヒータ保持部６４には、ヒータ６３を緊密に嵌める嵌合溝６５が、やや幅狭とされた入口６５Ａを相手側に向けて開口した形態で形成されている。ヒータ６３は、嵌合溝６５に対して入口６５Ａから径方向に嵌められ、図３に示すように、ヒータ６３の上下両端部が、ヒータ保持部６４の上面または下面を通ってヒータ保持部６４の庫外側に回曲され（回曲部６３Ａ）、ヒータ６３の上下両端部に接続されたリード線（図示せず）が、ベース６０の表面上で配線されるようになっている。
ヒータ保持部６４の庫内側の面からは、上記のセンタシール４０の第１脚部４５に形成された挿通溝４５Ａ内に緊密にかつ摺動可能に嵌合するガイド部６６が、突出形成されている。
【００２４】
保持部材５５のベース６０の表面側には、スライド蓋７０が着脱可能に装着されるようになっている。スライド蓋７０は、ベース６０と同じ長さとほぼ同幅を有する帯状をなし、かつ庫外側の端縁部が斜めに屈曲されている（傾斜部７０Ａ）。
スライド蓋７０の裏面（ベース６０と対向する面）における庫内側の側縁部には、上記した嵌合溝６５の入口６５Ａ内に進入してヒータ６３を押さえる抜け止めリブ７１が形成されている。また、同スライド蓋７０の裏面のほぼ中央幅位置には、長方形断面をなすガイド筒部７２が張り出し形成されており、ガイド筒部７２内には、上記したセンタシール４０に設けられた第２脚部４８が、切割溝７３を通って摺動可能に挿通されるようになっている。
【００２５】
スライド蓋７０の裏面における傾斜部７０Ａと、ガイド筒部７２の庫内側の位置には、それぞれベース６０の庫外側の側縁と、嵌合溝６５の入口６５Ａの側壁とに設けられた掛止部６７を嵌めて掛止する掛止溝７５が全高に亘って形成されている。
スライド蓋７０は、両掛止溝７５にベース６０の両掛止部６７を嵌めて、上方または下方から掛止部６７に沿って摺動させることで、図４に示すように、ベース６０の表面側に所定間隔を開けて被着され、結果、庫外側の縁辺が傾斜縁とされた扁平な略角筒形をなす保持部材５５が形成される。
【００２６】
改めると、ヒータ６３は嵌合溝６５に嵌められた上で、その上下両端部がヒータ保持部６４の上面または下面を通ってヒータ保持部６４の庫外側に回曲され、ヒータ６３の上下両端部に接続されたリード線が、保持部材５５内で配線されることになる。両リード線は、保持部材５５内の中央高さ位置まで配線されたのち、図５に示すように、ベース６０に開口された導出口６８から断面扉１５内に埋設された配線管路２６を通って、所定の電源供給位置まで配線されるようになっている。
【００２７】
上記のようにスライド蓋７０が正規に装着された際には、図４に示すように、同スライド蓋７０の裏面に張り出し形成されたガイド筒部７２が、ベース６０を対向側面１５Ａに固定するべく螺着されたねじ６１の頭部６１Ａ（例えば庫内側の略半分の領域）に対し、小間隔ｓを開けて近接して対向するようになっている。
【００２８】
また、スライド蓋７０が正規装着された際には、図６に示すように、上下両端面が開口された扁平な略角筒形をなす保持部材５５が形成されるのであるが、上下両端の開口面を覆うキャップＣが設けられている。上記した保持部材５５の上下両端の開口面には、ヒータ６３の上下両端部の回曲部６３Ａが臨むことになるため、同ヒータ６３の回曲部６３Ａを保護する等のために、キャップＣで覆う必要がある。
【００２９】
キャップＣは詳細には、共に合成樹脂製の第１キャップ８０と第２キャップ９０とから構成されている。  
第１キャップ８０は、図６及び図１０に示すように、保持部材５５の上下の開口面を、断熱扉１５の対向側面１５Ａにおける上縁または下縁の位置に亘って覆うべく本体部８１を備えており、同本体部８１は詳細には、保持部材５５と整合して庫外側の縁辺が傾斜縁とされた略長方形断面をなし、かつ保持部材５５の上下の端面と対向した面と、対向側面１５Ａと対向した面とが開口された箱形に形成されている。
【００３０】
本体部８１における外面（上面または下面）には、所定幅を持って断熱扉１５の上面または下面に沿って延びた取付板８２が形成されている。取付板８２には、その幅方向（庫内外方向）に長い長円形をなす座孔８４が凹み形成され、同座孔８４の中央部に一回り小さい長孔からなるねじ８３の挿通孔８５が開口されている。
【００３１】
上記の取付板８２の両側縁には、外面側に向けて突出長さが次第に大きくなった、いわゆるあり状をなす第１レール８６が形成されている。  
この取付板８２の延出端縁には、ストッパリブ８７が全幅に亘って立ち上がり形成されている。また、同取付板８２における座孔８４の手前側の縁辺には、長さ方向の中央位置において、係止孔８８が手前側に連なって突出した形態で形成されている。
【００３２】
第２キャップ９０は、図７及び図１１に示すように、上記した第１キャップ８０を、センタシール４０の上下の端面並びに横向きのパッキン３０の端部を含んで覆うべく略方形の浅皿状に形成され、図７の矢線に示すように、断熱扉１５の対向側面１５Ａに向かうようにスライドさせつつ装着されるようになっている。第２キャップ９０は詳細には、装着方向の手前側の面における庫外側の角部に傾斜面９１が形成されているとともに、装着方向の奥側の面と、装着方向の手前から視て右側の面に亘って、逃がし用の開口９２が形成されている。
【００３３】
第２キャップ９０の外面板９３（上面板または下面板）の裏面には、装着方向に沿って延びた一対の第２レール９４が、第１キャップ８０の取付板８２が緊密に挿入可能な間隔を開けて互いに平行に形成されている。両第２レール９４の対向面には、上記のあり状の第１レール８６が整合して嵌るように、第２キャップ９０の裏面側に向けて後退量が大きくなった、あり溝状の嵌合溝９４Ａが形成されている。
【００３４】
第２キャップ９０の外面板９３の裏面における両第２レール９４の間の領域では、奥側の略半分の領域が薄肉に削成されて、一段退避した形態の逃がし面９５が形成されており、同逃がし面９５は、上記した第１キャップ８０を固定したねじ８３の頭部８３Ａとの干渉を避けることに機能する。  
上記の逃がし面９５の奥縁には、第１キャップ８０の取付板８２の延出端縁に設けられたストッパリブ８７が嵌って当たる係止縁９６が、所定寸法後退した形態で形成されている。
【００３５】
また、第２キャップ９０の外面板９３の裏面における逃がし面９５の手前側の位置には、同第２キャップ９０が正規位置までスライド装着された場合に、第１キャップ８０の取付板８２に形成された係止孔８８に嵌って係止する係止突部９７が形成されている。なお、同係止突部９７の係止孔８８の孔縁と対向する面は、比較的急勾配ではあるが順テーパ面９７Ａとして形成されており、したがって第２キャップ９０に対して装着方向とは逆方向に所定以上の引張力を作用させると、係止突部９７が係止孔８８の手前の孔縁を乗り越えて抜け出ることが可能となっている。
【００３６】
断熱扉１５は、例えば以下のような手順で製造される。外装板２１の内部に配線管路２６が配されたのち、同外装板２１の裏面側に内装板２２が嵌められて外殻体２０が形成され、外殻体２０内に、発泡樹脂からなる断熱材が発泡充填されることにより断熱扉１５が形成される。このような断熱扉１５の庫内側の面における周縁部に、図２に示すように、パッキン３０が、４縁辺の全周に亘って方形枠状の形態をなして装着される。
【００３７】
次に、図３に示すように、断熱扉１５の対向側面１５Ａに対して、保持部材５５を構成するベース６０が当てられ、図４に示すように、ベース６０に開口された２箇所の挿通孔６２にねじ６１を通して対向側面１５Ａのねじ孔１５Ｂにねじ込むことにより、ベース６０が固定される。この状態から、ベース６０の表面に縦向きに設けられたヒータ保持部６４の嵌合溝６５に対して、ヒータ６３が緊密に嵌められ、同ヒータ６３の上下両端部が、ヒータ保持部６４の上面または下面を通ってヒータ保持部６４の庫外側に回曲される。そののち、配線管路２６を通ってベース６０の表面側に引き出されたリード線が、ヒータ６３の上下両端部に接続される。
【００３８】
続いて、ベース６０の表面側にスライド蓋７０が装着される。スライド蓋７０は、両掛止溝７５にベース６０の両掛止部６７を嵌めて、例えば上方から掛止部６７に沿って摺動させることで、図４に示すように、ベース６０の表面側に所定間隔を開けて被着され、結果、庫外側の縁辺が傾斜縁とされた扁平な略角筒形をなす保持部材５５が形成される。  
これに伴い、スライド蓋７０の裏面に設けられた抜け止めリブ７１が、ヒータ保持部６４の嵌合溝６５の入口６５Ａ内に全高に亘って進入してヒータ６３が抜け止めされる。また、同じくベース６０の裏面に張り出し形成されたガイド筒部７２が、ベース６０を固定したねじ６１の頭部６１Ａ（庫内側の略半分の領域）に対し、小間隔ｓを開けて近接して対向する。
【００３９】
次に、センタシール４０が保持部材５５に対してスライド装着される、センタシール４０は、第１脚部４５と第２脚部４８とを、それぞれベース６０のガイド部６６とスライド蓋７０のガイド筒部７２に嵌めて、例えば上方からガイド部６６とガイド筒部７２に沿って摺動させることで、図４に示すように、概ね保持部材５５の庫内側の面に沿うようにして全高に亘って装着さる。このとき、シール本体４１が隣接して配されたパッキン３０の側面に密着され、またシール本体４１の隣接した縦向きのパッキン３０側の端部位置から張り出し形成されたひれ部５２が、同パッキン３０並びに上下の横向きのパッキン３０の端部に位置する第１マグネット室３２の庫内側の面に重なって密着される。  
それとともに、センタシール４０に設けられた第２マグネット室４２に、第２マグネット４３が例えば上方から挿通される。第２マグネット室４２の上下両端部には、栓体４９（図３参照）が嵌められて抜け止めされる。
【００４０】
次に、保持部材５５の上下の開口面にキャップＣが装着される。まず、図６に示すように、第１キャップ８０が装着され、具体的には、本体部８１がヒータ６３の回曲部６３Ａを内部に収めつつ保持部材５５の上下の開口面を覆うとともに、取付板８２が断熱扉１５の上面または下面の端部に当てられる。その状態から、取付板８２の挿通孔８５にねじ８３を通して、断熱扉１５の上面または下面のねじ孔１５Ｃにねじ込むことで、図７に示すように、第１キャップ８０が固定される。
【００４１】
続いて第２キャップ９０が、概ね第１キャップ８０を覆うようにして装着される。詳細には、第２キャップ９０の裏面の一対の第２レール９４を、第１キャップ８０の取付板８２の両側縁の第１レール８６に合わせた状態から、同第２キャップ９０が、図７の矢線に示すように、断熱扉１５の対向側面１５Ａに向かうようにスライドしつつ押し込まれる。第２キャップ９０の外面板９３の係止縁９６が、第１キャップ８０の取付板８２の奥縁のストッパリブ８７に当たったところで押し込みが停止され、このとき第２キャップ９０の外面板９３の裏面の係止突部９７が、取付板８２の係止孔８８に嵌って係止されることで、図８に示すように、第２キャップ９０が第１キャップ８０を覆った状態において、抜け止めされて装着される。
以上により、パッキン３０並びにセンタシール４０が装着された形態の断熱扉１５が製造される。
【００４２】
本実施形態の扉装置は以上のような構造であって、左右の断熱扉１５が閉じられると、各断熱扉１５の庫内側の面に装着されたパッキン３０、より詳細には、揺動支点側の縦縁に配された縦向きのパッキン３０と、上下の横縁に配された横向きのパッキン３０とが、貯蔵室１２の前面開口部１３の口縁の全周に亘って密着する。
一方、左右の断熱扉１５の揺動端側の間では、図５及び図９に示すように、左右のセンタシール４０の第２マグネット室４２同士が、シール本体４１の辺部４４と、第２脚部４８を先端に設けた脚片４７を弾性変形させつつ、磁気吸引力により密着することによりシールされる。また、両センタシール４０に突出形成されたリップ部５０の先端部５０Ａ同士が重なり合い、上記した両第２マグネット室４２同士が密着した部分における庫内側が、両リップ部５０によって覆われる。
【００４３】
冷蔵庫は通常、上記のような閉扉状態において貯蔵室１２内に冷気が循環供給されて冷却される。一方、このような閉扉状態において、各センタシール４０に設けられた脚片４７は外気に触れる状態にあるから、センタシール４０が庫内冷気で冷却されると、上記の面で結露する可能性がある。
この実施形態では、上記のように、両第２マグネット室４２同士が密着した部分の庫内側が両リップ部５０で覆われて、脚片４７に冷熱が伝わり難くなっていることに加え、ヒータ６３に通電されることで、保持部材５５さらには第２脚部４８を介して脚片４７が加熱されることにより、脚片４７の表面で結露することが防止される。
開扉する場合は、左右の断熱扉１５を揃って開いてもよいし、左右の断熱扉１５を１枚ずつ開くことも可能である。
【００４４】
本実施形態によれば、以下のような効果を得ることができる。
センタシール４０を装着した保持部材５５内には同センタシール４０を加熱するべくヒータ６３が収容されており、同ヒータ６３の配索の関係上、保持部材５５の上下両端の開口面には、ヒータ６３の上下両端部の回曲部６３Ａが臨むことになるため、同ヒータの回曲部６３Ａを保護する等のために、キャップＣで覆う必要があるが、本実施形態では、第１キャップ８０がねじ８３で止められて被着され、さらに第２キャップ９０が、同第１キャップ８０の表面を覆ってスライド装着された構造を採っている。
【００４５】
そのため、仮に断熱扉１５に衝撃力が作用する等で第１キャップ８０を止めているねじ８３が緩んだとしても、第２キャップ９０によりねじ８３の緩み量が規制されることで第１キャップ８０が外れてしまうことが回避される。結果ヒータ６３の回曲部６３Ａが外部に対して露出することが防止される。
また、ねじ８３が第２キャップ９０で覆われていることにより、ねじ８３の頭部８３Ａに設けられたドライバ差し込み用のプラス溝やマイナス溝にごみが溜まることが防止されて衛生面上で好適となり、また、ねじ８３が隠されることで外観にも優れたものとなる。
【００４６】
本実施形態では、保持部材５５が、断熱扉１５の対向側面１５Ａにねじ６１で止められて取り付けられるベース６０と、ベース６０の表面側に間隔を開けて被着されるスライド蓋７０とから構成されているが、スライド蓋７０の裏面にはセンタシール４０の第２脚部４８を嵌めたガイド筒部７２が張り出して形成され、スライド蓋７０が正規に装着された際には、上記のガイド筒部７２が、ベース６０を固定したねじ６１の頭部６１Ａに対し、小間隔ｓを開けて近接して対向する設定となっている。
そのため、断熱扉１５に衝撃や振動が作用して仮にベース６０を止めているねじ６１が緩んだとしても、頭部６１Ａがガイド筒部７２に当たってストッパとして機能することによりねじ６１の緩み量が規制され、ねじ６１が外れることが確実に防止され、ひいてはベース６０が外れることが防止される。
【００４７】
＜実施形態２＞
図１２は、本発明の実施形態２を示す。
この実施形態２では、保持部材５５の上下の開口面を覆うキャップＣのうち第１キャップ８０Ｘの形状に改良が加えられている。すなわち、第１キャップ８０Ｘの本体部８１における側面（相手側と対向した側面）には、センタシール４０に設けられた第２脚部４８を挿通可能とした縦向きの逃がし溝１００が凹み形成されている。
【００４８】
この構成によれば、センタシール４０の交換を行う場合において、第２キャップ９０を所定以上の力で引っ張って外したのち、第１キャップ８０Ｘを取付状態に残したままで、第２脚部４８を逃がし溝１００に通しつつセンタシール４０を引っ張り上げて外し、また逆に、下方に押し込んで装着することができる。端的には、第１キャップ８０Ｘを被着したままで、センタシール４０をスライドさせつつ着脱することができる。
【００４９】
＜実施形態３＞
図１３は、本発明の実施形態３を示す。
この実施形態３では、保持部材５５のベース６０を固定したねじ６１のストッパとして機能するところの、スライド蓋７０の裏面に張り出して設けられたガイド筒部７２Ｘの形状に改良が加えられている。すなわち、ガイド筒部７２Ｘにおけるベース６０と対向した面の庫外側の角部から、所定幅を持った押圧片１０５が張り出し形成されている。同押圧片１０５は成形時には、図１３の鎖線に示すように、張り出し端がベース６０側に近づくような斜め姿勢を採っている。
【００５０】
スライド蓋７０が正規位置に装着されると、ガイド筒部７２Ｘが、ベース６０を固定したねじ６１の頭部６１Ａの庫内側の領域に対して、小間隔を開けて近接して対向するとともに、同図の実線に示すように押圧片１０５が弾性変形しつつ、その弾発力でねじ６１の頭部６１Ａの庫外側の領域を押し付ける。すなわち、押圧片１０５が常にねじ６１の頭部６１Ａを弾性的に押圧しているから、ねじ６１の緩み止めがより確実になされる。
【００５１】
＜実施形態４＞
次に、本発明の実施形態４を図１４ないし図１７によって説明する。
上記実施形態１に係る図５に示すように、センタシール４０を配設するに当たっては、同センタシール４０に形成されたひれ部５２の張り出し端部が、隣接して装着されている縦向きのパッキン３０や上下の横向きのパッキン３０の端部における第１マグネット室３２の庫内側の面に重なって密着されるようにして、センタシール４０とパッキン３０との間の冷気洩れを防ぐようにしている。ただし、上記のパッキン３０は、製造寸法、例えば高さ寸法にばらつきがでやすいという事情がある。
【００５２】
そこで、パッキン３０の高さ寸法のばらつきに拘わらず、センタシール４０のひれ部５２を正確にパッキン３０の第１マグネット室３２に重ねることができるように、センタシール４０を庫内外方向に沿って位置調節して配設できるようになっている。具体的には、センタシール４０を保持した保持部材５５、とりわけベース６０を断熱扉１５の対向側面１５Ａにねじ６１により固定する部分の構造において、ベース６０に開口するねじ６１の挿通孔６２を、ベース６０の幅方向（庫内外方向）に長い長孔状に形成することにより、ベース６０すなわち保持部材５５の固定位置を庫内外方向に調節し、ひいてはセンタシール４０を庫内外方向に沿って位置調節できるようになっている。
ちなみに、図１４では、パッキン３０の高さが最小寸法Ｈminである場合に対応して、保持部材５５ひいてはセンタシール４０が最も庫外側に位置調節された場合を示し、図１５では、パッキン３０の高さが最大寸法Ｈmaxである場合に対応して、保持部材５５ひいてはセンタシール４０が最も庫内側に位置調節された場合を示している。
【００５３】
既述したように、断熱扉１５の開閉に伴い同断熱扉１５に衝撃や振動が作用すると、ベース６０を止めているねじ６１が緩むおそれがあり、特に上記のようにねじ６１の挿通孔６２がベース６０の幅方向に長い長孔状であると、その後に繰り返し断熱扉１５に衝撃等が作用した際に、ベース６０が幅方向に移動することを許容されつつ、ねじ６１の座面との摩擦係合によりねじ６１が加速度的に緩みが進むことが懸念される。
【００５４】
その対策として本実施形態では、図１６に示すように、ベース６０に開口された長孔状をなす挿通孔６２の孔縁の回りに、複数本の縦向きの三角リブ１１０が、一定間隔を開けて形成されている。そして、ねじ６１が締結された際には、図１７に示すように、ねじ６１の座面に対応した領域６０Ｘで三角リブ１１０が潰された状態となる（符号１１０Ｘ参照）。
上記のように、ねじ６１が若干緩んだのち断熱扉１５に衝撃等が作用すると、ベース６０が、同図の矢線に示すように幅方向に移動するおそれがあるが、ねじ６１の頭部６１Ａが、潰されずに残った三角リブ１１０に当たることで、ベース６０が同方向に移動することが規制され、結果、ねじ６１がそれ以上緩むことが回避される。
【００５５】
＜他の実施形態＞
本発明は上記記述及び図面によって説明した実施形態に限定されるものではなく、例えば次のような実施形態も本発明の技術的範囲に含まれる。
（１）センタシールの配設部分における上記実施形態に例示した組付手順はあくまでも一例であって、適宜に変更することができる。
（２）センタシールの密着部は、上記実施形態に例示したマグネット室に限らず、相手側に向けて互いに重ね合わせ可能に張り出し形成されたリップ等、他の構造のものであってもよい。
（３）上記実施形態ではセンタシールを保持部材に対してスライド装着する場合を例示したが、それに限らず、正面から嵌め込む等の他の装着手段を採用してもよい。
（４）保持部材の開口面を覆う蓋板は、同じくスライド装着することに限らず、正面から嵌め込む等の他の装着手段を採用してもよい。
【００５６】
（５）センタシールの上下両端部と、上下の横向きのパッキンの端部との間のシール性が確保できれば、揺動端側に位置する縦向きのパッキンは割愛してもよい。
（６）実施形態４では、挿通孔の孔縁部に設ける潰し可能な突部として三角リブを例示したが、四角や半円の断面形状のリブであってもよい。また、多数のドット状の突部を配するようにしてもよい。
（７）センタシールに設けられた第１脚部と第２脚部とは、要は外力が作用した場合に嵌合相手（ガイド部とガイド筒部）から外れない程度の剛性を備えていればよいから、肉厚を大きく採る等の対応を伴って軟質樹脂で形成してもよい。
（８）本発明は、上記実施形態に例示した２ドア式の横型冷蔵庫に限らず、例えば４ドア式の縦型冷蔵庫等のドア数の異なる冷蔵庫や、その他に冷凍庫や冷凍冷蔵庫等、要は、ワイドスルー式の扉装置を備えた冷却貯蔵庫全般に広く適用することができる。
【符号の説明】
【００５７】
１０…冷蔵庫本体（貯蔵庫本体）  １３…前面開口部  １５…断熱扉  １５Ａ…対向側面  ３０…パッキン  ４０…センタシール  ４２…第２マグネット室（密着部）  ４５，４８…脚部  ５５…保持部材  ６０…ベース  ６１…ねじ  ６１Ａ…頭部  ６２…挿通孔  ６３…ヒータ  ６４…ヒータ保持部  ６６…ガイド部  ７０…スライド蓋（蓋板）  ７２…ガイド筒部（ガイド部；ストッパ部）  ８０，８０Ｘ…第１キャップ  ８２…取付板  ８３…ねじ  ８６…第１レール  ９０…第２キャップ  ９４…第２レール  １００…逃がし部  １０５…押圧片（押圧部）  １１０…三角リブ（突部）
【図１】
2015025632.tif 000003
【図２】
2015025632.tif 000004
【図３】
2015025632.tif 000005
【図４】
2015025632.tif 000006
【図５】
2015025632.tif 000007
【図６】
2015025632.tif 000008
【図７】
2015025632.tif 000009
【図８】
2015025632.tif 000010
【図９】
2015025632.tif 000011
【図１０】
2015025632.tif 000012
【図１１】
2015025632.tif 000013
【図１２】
2015025632.tif 000014
【図１３】
2015025632.tif 000015
【図１４】
2015025632.tif 000016
【図１５】
2015025632.tif 000017
【図１６】
2015025632.tif 000018
【図１７】
2015025632.tif 000019